(57)【要約】【課題】製造コストの上昇を抑えることができ、かつ日除け高さや日除け角度を任意に且つ容易に変えることのできる簡易テントを提供する。【解決手段】簡易テント１０は、概ね円形状に形成されたシート１１と、シート１１の周縁部に形成された棒状部材挿通部１１１，１１２，１１３に挿入されてシート１１に外径方向の張力を付与する弾性棒状部材１２ａ，１２ｂ，１２ｃと、弾性棒状部材１２ａ，１２ｂ，１２ｃをシート１１の周方向に沿ってリング状に連結する連結具１３ａ，１３ｂ，１３ｃとを備えている。シート１１は、伸縮性を有する織物布地から形成されているとともに、中心部に吊り具１４を有している。【選択図】図１
2011184890.tif 000002
【特許請求の範囲】
【請求項１】
概ね円形状に形成されたシートと、該シートの周縁部に形成された棒状部材挿通部に挿入されて前記シートに外径方向の張力を付与する複数本の弾性棒状部材と、該弾性棒状部材を前記シートの周方向に沿ってリング状に連結する複数個の連結具とを備えてなり、前記シートが伸縮性を有する織物布地から形成されているとともに、中心部に吊り具を有することを特徴とする簡易テント。
【請求項２】
請求項１に記載の簡易テントにおいて、前記弾性棒状部材がガラス繊維強化プラスチックから形成されていることを特徴とする簡易テント。
【請求項３】
請求項１または２に記載の簡易テントにおいて、前記連結具と前記吊り具がアルミニウムまたはアルミニウム合金から形成されていることを特徴とする簡易テント。
【請求項４】
請求項１〜３のいずれか一項に記載の簡易テントにおいて、前記吊り具が、前記シートを該シートの両面側から挟む一対の板状挟み部と、該板状挟み部の片面同士をねじ結合する雌雄一対のねじ部と、前記一対の板状挟み部から前記シートの厚さ方向に突出する一対の板状片とを有し、前記板状片の各々にロープ繋着孔が形成されていることを特徴とする簡易テント。
【請求項５】
請求項１〜４のいずれか一項に記載の簡易テントにおいて、前記棒状部材挿通部が、前記シートの周縁部を袋状に縫い付けて形成されていることを特徴とする簡易テント。
【発明の詳細な説明】
【技術分野】
【０００１】
本発明は、例えば公園の砂場やキャンプ場などで用いられる簡易テントに関する。
【背景技術】
【０００２】
従来、日除けや雨除けなどに用いられる簡易テントは、帆布地などで形成されたテント本体を支える梁部材や支柱が金属製の管状部材で形成されているため、かなりの重量があり、持ち運びが不便であるとともに、分解しても支柱および梁部材が嵩張り、収納場所を大きくとるなどの問題がある。
そこで、上記の問題点を解消するために、可撓性軽量シートからなる四角錐状のテント本体と、このテント本体に取着され、その浮力によってテント本体を空中に持ち上げる軽量ガス入りのバルーンとからなるものが知られている（特許文献１参照）。
【先行技術文献】
【特許文献】
【０００３】
【特許文献１】特開２００３−１５５８４５号公報
【発明の概要】
【発明が解決しようとする課題】
【０００４】
しかしながら、特許文献１に開示された簡易テントは、軽量ガス入りのバルーンを必要とし、しかもテント本体が例えば三角形状をなす四枚の合成樹脂シートを角錐状に縫製して形成されているため、製造コストの上昇を招きやすいなどの難点があった。
本発明は上述した問題点に鑑みてなされたものであり、その目的とするところは、製造コストの上昇を抑えることができ、かつ日除け用として用いる場合に日除け高さや日除け角度などを任意に且つ容易に変えることのできる簡易テントを提供することにある。
【課題を解決するための手段】
【０００５】
上記課題を解決するために、本発明の請求項１の発明に係る簡易テントは、概ね円形状に形成されたシートと、該シートに形成された棒状部材挿通部に挿入されて前記シートに外径方向の張力を付与する複数本の弾性棒状部材と、該弾性棒状部材を前記シートの周方向に沿ってリング状に連結する複数個の連結具とを備えてなり、前記シートが伸縮性を有する織物布地から形成されているとともに、中心部に吊り具を有することを特徴とする。
【０００６】
本発明の請求項２の発明に係る簡易テントは、請求項１に記載の簡易テントにおいて、前記弾性棒状部材がガラス繊維強化プラスチックから形成されていることを特徴とする。
本発明の請求項３の発明に係る簡易テントは、請求項１または２に記載の簡易テントにおいて、前記連結具と前記吊り具がアルミニウムまたはアルミニウム合金から形成されていることを特徴とする。
【０００７】
本発明の請求項４の発明に係る簡易テントは、請求項１〜３のいずれか一項に記載の簡易テントにおいて、前記吊り具が、前記シートを該シートの両面側から挟む一対の板状挟み部と、該板状挟み部の片面同士をねじ結合する雌雄一対のねじ部と、前記一対の板状挟み部から前記シートの厚さ方向に突出する一対の板状片とを有し、前記板状片の各々にロープ繋着孔が形成されていることを特徴とする。
本発明の請求項５の発明に係る簡易テントは、請求項１〜４のいずれか一項に記載の簡易テントにおいて、前記棒状部材挿通部が、前記シートの周縁部を袋状に縫い付けて形成されていることを特徴とする。
【発明の効果】
【０００８】
本発明に係る簡易テントによれば、軽量ガス入りのバルーンを用いたり、三角形状をなす四枚の合成樹脂シートを角錐状に縫製してなるものを日除けシートとして用いたりする必要がないので、製造コストの上昇を抑制することができる。また、シートの中心部に設けられた吊り具を介してシートを立木の枝などから吊るすとシートの形状が平面形状から円錐形状に変化するので、日除け用として用いる場合に日除け高さや日除け角度などを任意に且つ容易に変えることができる。
【図面の簡単な説明】
【０００９】
【図１】本発明の第１実施形態に係る簡易テントの組立前の状態を平面的に示す図である。
【図２】本発明の第１実施形態に係る簡易テントのシートの中心部を示す図である。
【図３】本発明の第１実施形態に係る簡易テントの連結具の側面を示す図である。
【図４】図３のＡ−Ａ断面を示す図である。
【図５】本発明の第１実施形態に係る簡易テントのシート周縁部に形成された３つの棒状部材挿通部に弾性棒状部材を挿入した状態を平面的に示す図である。
【図６】本発明の第１実施形態に係る簡易テントのシートの棒状部材挿通部に挿入された弾性棒状部材を３個の連結具によりリング状に連結した状態を平面的に示す図である。
【図７】本発明の第１実施形態に係る簡易テントの吊り具に吊り下げ用ロープを繋着すると共に各連結具に繋留ロープを繋着した状態を示す図である。
【図８】本発明の第１実施形態に係る簡易テントを立木の枝などから吊り下げた状態を示す図である。
【図９】本発明の第１実施形態に係る簡易テントのシートを地面に対して傾斜させた状態を示す図である。
【図１０】本発明の第１実施形態に係る簡易テントの他の使用方法を説明するための図である。
【図１１】本発明の第２実施形態を示す図である。
【図１２】本発明の第３実施形態を示す図である。
【発明を実施するための形態】
【００１０】
以下、図１〜図１０を参照して本発明の第１の実施の形態について説明する。
図１は本発明の第１実施形態に係る簡易テントの概略構成を示す図で、本発明の第１実施形態に係る簡易テント１０は、シート１１、弾性棒状部材１２ａ，１２ｂ，１２ｃ、連結具１３ａ，１３ｂ，１３ｃおよび吊り具１４を備えている。
シート（以下「日除けシート」という。）１１は，例えば１７００〜１８００ｍｍの直径で概ね円形状に形成されているとともに、伸縮性を有する織物布地（例えば藤掛株式会社製、ＳＷ４１２０５２００  広巾ツーウェー（製品名））から形成されている。
【００１１】
また、日除けシート１１は弾性棒状部材１２ａ，１２ｂ，１２ｃが挿入される棒状部材挿通部１１１，１１２，１１３を周縁部に有し、これらの棒状部材挿通部１１１，１１２，１１３は弾性棒状部材１２ａ，１２ｂ，１２ｃよりも若干短い長さで日除けシート１１の周縁部に形成されているとともに、日除けシート１１の周縁部を袋状に縫い付けて形成されている。
さらに、日除けシート１１は連結具１３ａ，１３ｂ，１３ｃとの干渉を避けるための切欠部１１４，１１５，１１６を有し、これらの切欠部１１４，１１５，１１６は概ね１２０度の間隔で日除けシート１１の周縁部に形成されている。
【００１２】
弾性棒状部材１２ａ，１２ｂ，１２ｃは日除けシート１１に外径方向の張力を付与するものであって、例えば直径７ｍｍ、長さ１８００ｍｍの寸法でガラス繊維強化プラスチック（ＦＲＰ）から形成されている。
連結具１３ａ，１３ｂ，１３ｃは日除けシート１１の棒状部材挿通部１１１，１１２，１１３に挿入された弾性棒状部材１２ａ，１２ｂ，１２ｃを日除けシート１１の周方向に沿ってリング状に連結するものであって、アルミニウムまたはアルミニウム合金から形成されている。
【００１３】
吊り具１４はビニロンロープなどの吊り下げ用ロープを用いて日除けシート１１を立木の枝などから吊り下げるためのものであって、日除けシート１１の中心部に設けられている。また、吊り具１４はアルミニウムまたはアルミニウム合金から形成されているとともに、図２に示すように、日除けシート１１をその両面側から挟む一対の板状挟み部１４１,１４２と、これら板状挟み部１４１，１４２の片面同士をねじ結合する雌雄一対のねじ部１４３，１４４とを有している。
【００１４】
さらに、吊り具１４は日除けシート１１を立木の枝などから吊り下げる吊り下げ用ロープの一端部が繋着される二つのロープ繋着孔１４５（図２参照）を有し、これらのロープ繋着孔１４５は板状挟み部１４１，１４２から日除けシート１１の厚さ方向に突出する一対の板状片１４６,１４７に形成されている。なお、吊り具１４の板状挟み部１４１，１４２は例えば直径４５ｍｍ、厚さ３ｍｍの寸法で円板状に形成されている。また、日除けシート１１の中心部には、吊り具１４の雄ねじ部１４３または雌ねじ部１４４を挿入するための貫通孔１１７（図２参照）が形成されている。
前記連結具１３ａ，１３ｂ，１３ｃは、また、例えば外径１０ｍｍ、内径７．２ｍｍ、長さ４５ｍｍの円筒部１３１（図３及び図４参照）を有し、この円筒部１３１の内部に弾性棒状部材１２ａ，１２ｂ，１２ｃの端部が挿入されるようになっている。
【００１５】
また、連結具１３ａ，１３ｂ，１３ｃは立木の枝などから吊り下げられた日除けシート１１の周縁部を地面に打ち込まれたペグにビニロンロープなどの繋留ロープによって繋留するためのロープ繋留孔１３２，１３３（図３及び図４参照）を有し、これらのロープ繋留孔１３２，１３３は円筒部１３１の外周面に形成された板状繋留片１３４に穿設されている。
【００１６】
次に、本発明の第１実施形態に係る簡易テント１０の組立方法などを図５〜図１０を参照して説明する。
本発明の第１実施形態に係る簡易テント１０を公園の砂場やキャンプ場などで組み立てる場合は、まず、図５及び図６に示すように、日除けシート１１の周縁部に形成された棒状部材挿通部１１１，１１２，１１３に弾性棒状部材１２ａ，１２ｂ，１２ｃを挿入し、日除けシート１１の棒状部材挿通部１１１，１１２，１１３に挿入された弾性棒状部材１２ａ，１２ｂ，１２ｃを連結具１３ａ，１３ｂ，１３ｃによりリング状に連結する。このとき、弾性棒状部材１２ａ，１２ｂ，１２ｃには円弧状に湾曲した状態から元の状態に戻ろうとする弾性復元力が発生し、この弾性復元力によって日除けシート１１に外径方向の張力が付与される。
【００１７】
弾性棒状部材１２ａ，１２ｂ，１２ｃが連結具１３ａ，１３ｂ，１３ｃによりリング状に連結されたならば、日除けシート１１の中心部に吊り具１４を装着する。次に、図７に示すように、日除けシート１１の中心部に装着された吊り具１４にビニロンロープなどの吊り下げ用ロープ１５の一端部を連結し、さらに、連結具１３ａ，１３ｂ，１３ｃの板状繋留片１３４に形成されたロープ繋留孔１３２または１３３にビニロンロープなどの繋留ロープ１６ａ，１６ｂ，１６ｃの一端部を繋着する。そして、繋留ロープ１６ａ，１６ｂ，１６ｃの他端部をペグなどによって地面に固定するとともに、吊り下げ用ロープ１５の他端部を木立の枝などに縛り付けて日除けシート１１を木立の枝などから吊り下げる。このとき、日除けシート１１は、遮光シート自身の自重や弾性棒状部材１２ａ，１２ｂ，１２ｃ及び連結具１３ａ，１３ｂ，１３ｃの重量などによって、図８に示すように、円錐形状となって木立の枝などから吊り下げられる。
【００１８】
上述した本発明の第１実施形態に係る簡易テント１０では、前述した先行技術のように、軽量ガス入りのバルーンを用いたり、三角形状をなす四枚の合成樹脂シートを角錐状に縫製してなるものを遮光シートとして用いたりする必要がないので、製造コストの上昇を抑制することができる。
【００１９】
また、日除けシート１１を木立の枝などから吊り下げると、遮光シート自身の自重や弾性棒状部材１２ａ，１２ｂ，１２ｃ及び連結具１３ａ，１３ｂ，１３ｃの重量などによって日除けシート１１の形状が平面形状から円錐形状に変化するので、遮光シートを木立の枝などから吊り下げたときの形状が平面形状のものと比較して、直射日光を有効に遮光することができる。
【００２０】
また、吊り具１４に繋がれた吊り下げ用ロープ１５の長さあるいは連結具１３ａ，１３ｂ，１３ｃに繋がれた繋留ロープ１６ａ，１６ｂ，１６ｃの長さを調節することで、日除けシート１１の高さ（日除け高さ）を任意の高さに簡単に変えることができる。さらに、連結具１３ａ，１３ｂ，１３ｃに繋がれた繋留ロープ１６ａ，１６ｂ，１６ｃの長さを例えば互いに異なる長さに調節することで、図９に示すように、日除けシート１１の角度（日除け角度）を任意の角度に簡単に変えることができる。
【００２１】
さらに、吊り具１４や連結具１３ａ，１３ｂ，１３ｃをアルミニウムまたはアルミニウム合金から形成したことで、例えば吊り具や連結具がステンレス鋼からなるものと比較して、軽量化を図ることができ、公園やキャンプ場などへより容易に持ち運ぶことができる。
また、弾性棒状部材１２ａ，１２ｂ，１２ｃをガラス繊維強化プラスチックから形成したことで、例えば弾性棒状部材が金属材料からなるものと比較して、軽量化を図ることができると共に、風などの影響により弾性棒状部材が幼児などに当っても大きな衝撃力を与える心配もない。
【００２２】
さらに、吊り具１４を、日除けシート１１をその両面側から挟む一対の板状挟み部１４１，１４２と、板状挟み部１４１，１４２の片面同士をねじ結合する雌雄一対のねじ部１４３，１４４と、板状挟み部１４１，１４２から日除けシート１１の厚さ方向に突出する一対の板状片１４６，１４７とで形成し、板状片１４６，１４７の各々にロープ繋着孔１４５を設けたことで、日除けシート１１の表裏を問わず日除けシート１１を立木の枝などから吊り下げることができる。
上述した本発明の第１実施形態では、遮光シートの周縁部に形成された棒状部材挿通部に挿入される弾性棒状部材として三本の弾性棒状部材を例示したが、弾性棒状部材の本数は二本であってもよいし四本以上であってもよい。
【００２３】
また、遮光シートの中心部に設けられる吊り具や弾性棒状部材をリング状に連結する連結具としてアルミニウムまたはアルミニウム合金からなるものを例示したが、プラスチック製の吊り具や連結具を用いてもよい。
さらに、図１０に示すように、吊り具１４に繋がれたロープ１８の先端部を地面に固定し、連結具１３ａ，１３ｂ，１３ｃの各々に繋がれたロープ１６ａ，１６ｂ，１６ｃの先端部を立木の枝などに縛り付けてもよい。
【００２４】
また、上述した本発明の第１実施形態では、屋外での日除け用として用いる場合を例示したが、屋内において照明光の遮光用として用いてよい。
さらに、遮光シートの周縁部に袋状の棒状部材挿通部を形成する代わりに、図１１に示すように、連結具１３ａ，１３ｂ，１３ｃを収容するスリット１７ａ，１７ｂ，１７ｃを日除けシート１１に放射状に形成するとともに、面ファスナーの帯状フック部１８ａ，１８ｂ，１８ｃを日除けシート１１の表面上に放射状に固設し、これら帯状フック部１８ａ，１８ｂ，１８ｃ上の任意の位置に連結具１３ａ，１３ｂ，１３ｃによりリング状に連結された弾性棒状部材１２ａ，１２ｂ，１２ｃを載せた後、帯状フック部１８ａ，１８ｂ，１８ｃの上面に面ファスナーの帯状ループ部１９ａ，１９ｂ，１９ｃを貼り付けて弾性棒状部材１２ａ，１２ｂ，１２ｃを日除けシート１１の表面上に固定するようにしてもよい。
また、図１２に示すように、日除けシート１１の形状を四角形状としてもよい。
【符号の説明】
【００２５】
１０…簡易テント
１１…シート
１１１，１１２，１１３…棒状部材挿通部
１１４，１１５，１１６…切欠部
１１７…貫通孔
１２ａ，１２ｂ，１２ｃ…弾性棒状部材
１３ａ，１３ｂ，１３ｃ…連結具
１３１…円筒部
１３２，１３３…ロープ繋留孔
１３４…板状繋留片
１４…吊り具
１４１，１４２…板状挟み部
１４３…雄ねじ部
１４４…雌ねじ部
１４５…ロープ繋着孔
１４６，１４７…板状片
１５…吊り下げ用ロープ
１６ａ，１６ｂ，１６ｃ…繋留ロープ
１７ａ，１７ｂ，１７ｃ…スリット
１８ａ，１８ｂ，１８ｃ…面ファスナーのフック部
１９ａ，１９ｂ，１９ｃ…面ファスナーのループ部
【図１】
2011184890.tif 000003
【図２】
2011184890.tif 000004
【図３】
2011184890.tif 000005
【図４】
2011184890.tif 000006
【図５】
2011184890.tif 000007
【図６】
2011184890.tif 000008
【図７】
2011184890.tif 000009
【図８】
2011184890.tif 000010
【図９】
2011184890.tif 000011
【図１０】
2011184890.tif 000012
【図１１】
2011184890.tif 000013
【図１２】
2011184890.tif 000014